(57)【特許請求の範囲】
【請求項１】
電気電子機器収納用キャビネットの四隅に立設される縦フレームであって、前面扉に平行な第１の機器取付辺と、この第１の機器取付辺に平行でこれよりも前面扉側に位置し、かつ外側端が側面パネル当接辺に接続される連結金具取付辺とを備え、この連結金具取付辺の前面扉とは反対側に連結金具取付スペースを構成したことを特徴とする電気電子機器収納用キャビネットの縦フレーム。
【請求項２】
連結金具取付辺を備えた連結金具取付部を中空とした請求項１に記載の電気電子機器収納用キャビネットの縦フレーム。
【請求項３】
連結金具取付辺および第１の機器取付辺に垂直な第２の機器取付辺を備えた請求項１または２に記載の電気電子機器収納用キャビネットの縦フレーム。
【請求項４】
第２の機器取付辺に平行な第３の機器取付辺を備えた請求項３に記載の電気電子機器収納用キャビネットの縦フレーム。
【請求項５】
連結金具取付辺が第４の機器取付辺を兼ねるものである請求項１〜４の何れかに記載の電気電子機器収納用キャビネットの縦フレーム。
【請求項６】
前面扉と接するシール部を中空とした請求項１〜５の何れかに記載の電気電子機器収納用キャビネットの縦フレーム。
【発明の詳細な説明】
【０００１】
【発明の属する技術分野】
本発明は、配電盤キャビネット、通信キャビネット、ラックなどの電気電子機器収納用キャビネットの四隅に立設される縦フレームに関するものである。
【０００２】
【従来の技術】
電気電子機器収納用キャビネットは、図９に示されるようにベースの四隅に縦フレームを立設し、前面扉１、側面パネル２、後面パネル３（または背面扉）などを取付けて構成されているのが普通である。このような構造の電気電子機器収納用キャビネットを連結して使用する場合には、連結部の側面パネル２を取り外し、各縦フレームの後面（前面扉１と反対側の内室側の面）に形成された機器取付孔４を利用して連結金具５によって連結していた。
【０００３】
しかしながら、通常の断面４角形の縦フレームを用いると、図９に示すように連結金具５が接合面６の内側に突出するため、各キャビネット間に配置される機器、ケーブルなどの部材や、作業中の手が引っ掛かったりして、作業性が悪いという問題があった。
【０００４】
【発明が解決しようとする課題】
本発明は上記した従来の問題点を解決し、電気電子機器収納用キャビネットどうしを連結する連結金具の突出を少なくし、各キャビネット間にケーブルなどを配線する場合の作業性を改善した電気電子機器収納用キャビネットの縦フレームを提供するためになされたものである。なお本発明のその他の目的は、各種の機器取り付けが容易であり、それ自体の強度にも優れた電気電子機器収納用キャビネットの縦フレームを提供することである。
【０００５】
【課題を解決するための手段】
上記の課題を解決するためになされた本発明は、電気電子機器収納用キャビネットの四隅に立設される縦フレームであって、前面扉に平行な第１の機器取付辺と、この第１の機器取付辺に平行でこれよりも前面扉側に位置し、かつ外側端が側面パネル当接辺に接続される連結金具取付辺とを備え、この連結金具取付辺の前面扉とは反対側に連結金具取付スペースを構成したことを特徴とするものである。
【０００６】
なお、連結金具取付辺を備えた連結金具取付部を中空とすることができる。また、連結金具取付辺および第１の機器取付辺に垂直な第２の機器取付辺を備えた構造とすることができる。また、第２の機器取付辺に平行な第３の機器取付辺を備えた構造とすることができる。さらに連結金具取付辺が第４の機器取付辺を兼ねるものとすることができ、前面扉と接するシール部を中空とすることができる。
【０００７】
【発明の実施の形態】
以下に本発明の好ましい実施形態を示す。
図１は本発明の縦フレームの第１の実施形態を示す水平断面図であり、全体が金属板を折り曲げ成形した中空構造となっている。ただしこの中空構造は完全な中空体でなくても、成形面の一部を切断した構造でもよい。図１において、１０は前面扉１の裏面とパッキンを介して当接するＵ字状に湾曲させた中空の外縁部であるシール部であり、その基部から第１成形辺１１、第２成形辺１２、第３成形辺１３、第４成形辺１４、第５成形辺１５、第６成形辺１６、第７成形辺１７、第８成形辺１８が順次形成されている。この実施形態では、第７成形辺１７を除く各成形辺は相互に直角に折り曲げられている。
【０００８】
これらの成形辺のうち、第２成形辺１２は側面パネル２と当接する側面パネル当接辺であり、図１の縦フレームは電気電子機器収納用キャビネットの左上隅に位置するものである。なお、図示のように第３〜第８の成形辺には（第７成形辺１７を除き）、それぞれ機器取付孔４が形成されている。
【０００９】
第５成形辺１５が、請求項１に記載した前面扉１に平行な第１の機器取付辺である。この第１の機器取付辺を利用して、機器取付レール等が取付けられる。
【００１０】
第３成形辺１３が、請求項１に記載した連結金具取付辺である。この第３成形辺１３は、第１の機器取付辺（第５成形辺１５）と平行であって第１の機器取付辺よりも前面扉１側の位置にある。またその外側端が側面パネル当接辺である第２成形辺１２に接続されている。そしてこの連結金具取付辺１３の前面扉１とは反対側に、図示のように連結金具取付スペース２０が構成されている。図２、図３に示すように、この連結金具取付スペース２０に連結金具５が取付けられる。請求項２に記したようにこの連結金具取付辺１３を備えた連結金具取付部を中空としてあるため、機械的強度を高めることができ、強固な連結が可能となる。
【００１１】
第４成形辺１４が、請求項３に記載の第２の機器取付辺である。この第４成形辺１４は連結金具取付辺１３および第１の機器取付辺１５に対して垂直であり、第１の機器取付辺１５と同様に機器取付レール等が取付けられる。
【００１２】
第６成形辺１６が、請求項４に記載の第３の機器取付辺である。この第３の機器取付辺１６は第２の機器取付辺１４に平行であり、機器取付レール等が取付けられる。このように本実施形態の縦フレームは多くの機器取付辺を備えているため、各種の内部機器を取付けることができる。
【００１３】
図２は、図１に記載の縦フレームどうしを連結した構造を示す水平断面図である。図示の通り、両方の縦フレームの連結金具取付辺（第３成形辺１３）に形成された機器取付孔４を利用して板状の連結金具５をボルト２１によって固定することにより、隣接する縦フレームどうしを強固に連結することができる。この状態で連結金具５は連結金具取付スペース２０内に完全に収まるので、連結金具５が第１の機器取付辺１５よりも内側に突出することがない。従って、従来のように各キャビネット間に配置される機器、ケーブルなどの部材や、作業中の手が引っ掛かったりすることがなく、機器取付けやケーブル配線の作業性を向上させることができる。
【００１４】
図３はＬ字状の連結金具５を用いて隣接する縦フレームどうしを連結した構造を示す水平断面図である。図示の通り、この場合には連結金具５の一辺５１から突設されたフック５２を連結金具取付辺（第３成形辺１３）の孔に引っ掛け、連結金具５の他辺５３どうしをボルト２２によって連結することにより、両方の縦フレームを強固に連結している。この場合にはＬ字状の連結金具５の辺５３の端部が連結金具取付スペース２０から突出するが、図９に示した連結金具取付スペース２０のない従来に比較してその突出量が大幅に少なくなり、機器取付けやケーブル配線の作業性が改善される。
【００１５】
なお、連結金具５が取付けられるのは縦フレームの上下数カ所であり、連結金具取付辺１３のその他の部分は使用されないので、請求項５に示すように連結金具取付辺１３を第４の機器取付辺としても使用することができる。
【００１６】
以上の実施形態で説明したものは、成形辺と成形辺との関係のみである。例えば、第２成形辺１２と第３成形辺１３とは直接に接続されているが、この他にも間接的に斜めや凹部の付加接続辺で接続されていてもよい。重要なのは、上記した位置関係が存在することであり、各成形辺が直接に接続されているものに限定されるものではない。
【００１７】
図４〜図８に、本発明の他の実施形態を示す。各図面とも図１と同様に左上隅にコーナーが位置するものであり、図１の各成形辺と対応する成形辺に同一の番号を付してある。なお機器取付孔４の位置は中心線で現した。どの実施形態の縦フレームも、シール部１０、第２成形辺１２（側面パネル当接辺）、第３成形辺１３（連結金具取付辺）、第４成形辺１４（第２の機器取付辺）、第５成形辺１５（第１の機器取付辺）、第６成形辺１６（第３の機器取付辺）を備えていることは図１のものと同じであり、また連結金具取付スペース２０を備えていることも同様である。使用法や作用効果は共通であるため、説明を繰り返すことを省略する。
【００１８】
【発明の効果】
以上に説明したように、請求項１の発明によれば、複数のキャビネットを接続する際に、隣接する縦フレームどうしを連結するために用いる連結金具の縦フレームから突出する部分が少なくなり、連結するキャビネット間に機器取付けやケーブル配線が行ない易くなる。また請求項２の発明によれば、連結金具取付部が強固になり、重量のある電気電子機器収納用キャビネットをも強固に連結することができる。また請求項３、４、５の発明によれば機器取付辺の数が増加するので縦フレームへの各種内部機器の取付けが容易となる。さらに請求項６の発明によれば、前面扉と接するシール部も中空としたため、縦フレーム全体を強固な構造とすることができる等の利点がある。
【図面の簡単な説明】
【図１】本発明の縦フレームの第１の実施形態を示す水平断面図である。
【図２】縦フレームどうしを連結した状態を示す水平断面図である。
【図３】Ｌ字状の連結金具を用いて、縦フレームどうしを連結した状態を示す水平断面図である。
【図４】本発明の縦フレームの第２の実施形態を示す水平断面図である。
【図５】本発明の縦フレームの第３の実施形態を示す水平断面図である。
【図６】本発明の縦フレームの第４の実施形態を示す水平断面図である。
【図７】本発明の縦フレームの第５の実施形態を示す水平断面図である。
【図８】本発明の縦フレームの第６の実施形態を示す水平断面図である。
【図９】従来の電気電子機器収納用キャビネットを示す水平断面図である。
【符号の説明】
１  前面扉
２  側面パネル
３  後面パネル（または背面扉）
４  機器取付孔
５  連結金具
６  接合面
１０  シール部
１１  第１成形辺
１２  第２成形辺（側面パネル当接辺）
１３  第３成形辺（連結金具取付辺）
１４  第４成形辺（第２の機器取付辺）
１５  第５成形辺（第１の機器取付辺）
１６  第６成形辺（第３の機器取付辺）
１７  第７成形辺
１８  第８成形辺
２０  連結金具取付スペース
２１  ボルト
２２  ボルト
５１  Ｌ字状の連結金具の一辺
５２  フック
５３  Ｌ字状の連結金具の他辺
【図１】
0003643029.tif 000002
【図２】
0003643029.tif 000003
【図３】
0003643029.tif 000004
【図４】
0003643029.tif 000005
【図５】
0003643029.tif 000006
【図６】
0003643029.tif 000007
【図７】
0003643029.tif 000008
【図８】
0003643029.tif 000009
【図９】
0003643029.tif 000010